(57)【要約】【課題】同期パターンの周期性が崩れても同期を確立する。【解決手段】受信機Ｒｘで受信する信号の先頭部分（同期ブロック）と同期パターン（プリアンブルシンボルpas）との相関値を求める。当該相関値を所定の閾値と比較して当該相関値が閾値を超える毎に計時（カウンタ４のカウント）を開始する。プリアンブルシンボルpasの基本周期若しくは基本周期の整数倍に等しい時間が計時されるタイミングと略一致した複数のタイミングで相関値が閾値を超えた場合に同期が確立したと判断する。故に、妨害波の影響等によって受信した信号の先頭部分に含まれる同期パターンの周期性が崩れてもシンボルタイミングの同期を確立することができる。【選択図】図１
2008259063.tif 000002
【特許請求の範囲】
【請求項１】
送信機と受信機からなる通信装置の同期確立方法において、送信機から送信される信号の先頭に同期確立用のプリアンブルが含まれ、当該プリアンブルは、送信機と受信機の双方で既知である複数の同期パターンが一定の基本周期で存在するものであって、
受信機で受信する信号の先頭部分と前記同期パターンとの相関値を求めるとともに、当該相関値を所定の閾値と比較して当該相関値が閾値を超える毎に計時を開始し、前記基本周期若しくは基本周期の整数倍に等しい時間が計時されるタイミングと略一致した複数のタイミングで前記相関値が閾値を超えた場合に同期が確立したと判断することを特徴とする同期確立方法。
【請求項２】
基本周期の整数倍に等しい時間が計時されるタイミングと略一致した複数のタイミングで前記相関値が閾値を超えたか否かを判断する際、前記タイミングを基本周期と同じ時間から始めて順番に長い時間に変更することを特徴とする請求項１記載の同期確立方法。
【請求項３】
閾値を超えた第１の相関値と、当該第１の相関値が閾値を超えたときに計時を開始してから基本周期若しくは基本周期の整数倍に等しくない時間が計時されるタイミングで第１の相関値を超える第２の相関値が現れた場合、当該第２の相関値が第１の相関値を超えたタイミングで計時を開始することを特徴とする請求項１又は２記載の同期確立方法。
【請求項４】
請求項１〜３の何れか１項に記載の同期確立方法によって同期を確立することを特徴とする直交周波数分割多重変調方法。
【請求項５】
請求項４記載の直交周波数分割多重変調方法で変調された信号を送信する送信機と、受信した信号に対して請求項１〜３の何れか１項に記載の同期確立方法で同期を確立する受信機とを備えたことを特徴とする通信装置。
【発明の詳細な説明】
【技術分野】
【０００１】
本発明は、送信機と受信機からなる通信装置の同期確立方法並びに、直交周波数分割多重変調方法、通信装置に関するものである。
【背景技術】
【０００２】
従来の同期確立方法として特許文献１に記載されているものがある。
【０００３】
特許文献１に記載されている同期確立方法は、直交周波数分割多重（Orthogonal Frequency Division Multiplexing:OFDM）変調方式の受信機においてシンボルタイミングの同期を確立するためのものである。送信機から送信される信号（パケット信号）は既知パターンで構成される同期のための領域（同期ブロック）と、あらかじめ決められた変調方式で変調されたパケットの情報が格納されるパケット制御のための領域（制御ブロック）と、前記制御ブロックに記された変調方式で変調された情報ビットが格納されるデータ伝送のための領域（データブロック）とで構成される。そして、同期ブロックにはパケットの検出やシンボルタイミング同期の確立のためのプリアンブルが含まれている。当該プリアンブルは、送信機と受信機の双方で既知である複数の同期パターンが一定の基本周期で存在する。受信機に設けられたシンボルタイミング同期検出回路は、受信した信号の先頭部分と同期パターンとの相関値を相関値演算回路で算出し、ピーク検出回路にて当該相関値を所定の閾値と比較することでピーク検出を行い、ピークが検出されるとシンボル同期処理回路に検出信号を入力し、最初にピークが検出されてから所定の予測期間とこれ以外の期間とで使用する一つの閾値を異ならせるようにピーク検出回路の閾値を設定し、所定の予測期間以外では厳しい条件の閾値で最初のピークを検出し、この検出に応じて次のピーク検出タイミングを予測し、予測タイミングで相関値のピークが検出されなければ同期が確立した判定している。
【特許文献１】特開２００５−３０３６９１号公報
【発明の開示】
【発明が解決しようとする課題】
【０００４】
ところで、上記従来例ではプリアンブルを構成する複数の同期パターンの検出精度を高めるため、ピーク検出回路に設定する閾値を、予測期間（同期パターンの基本周期に等しい期間）での閾値を予測帰還以外での閾値よりも低くしているが、例えば、妨害波によって同期パターンの周期性が崩れてしまうと基本周期に等しい予測期間内で相関値のピークを検出することができなくなり、その結果、同期が確立できないという問題があった。
【０００５】
本発明は上記事情に鑑みて為されたものであり、その目的は、同期パターンの周期性が崩れても同期を確立することができる同期確立方法並びに直交周波数分割多重変調方法、通信装置を提供することにある。
【課題を解決するための手段】
【０００６】
請求項１の発明は、上記目的を達成するために、送信機と受信機からなる通信装置の同期確立方法において、送信機から送信される信号の先頭に同期確立用のプリアンブルが含まれ、当該プリアンブルは、送信機と受信機の双方で既知である複数の同期パターンが一定の基本周期で存在するものであって、受信機で受信する信号の先頭部分と前記同期パターンとの相関値を求めるとともに、当該相関値を所定の閾値と比較して当該相関値が閾値を超える毎に計時を開始し、前記基本周期若しくは基本周期の整数倍に等しい時間が計時されるタイミングと略一致した複数のタイミングで前記相関値が閾値を超えた場合に同期が確立したと判断することを特徴とする。
【０００７】
請求項２の発明は、請求項１の発明において、基本周期の整数倍に等しい時間が計時されるタイミングと略一致した複数のタイミングで前記相関値が閾値を超えたか否かを判断する際、前記タイミングを基本周期と同じ時間から始めて順番に長い時間に変更することを特徴とする。
【０００８】
請求項３の発明は、請求項１又は２の発明において、閾値を超えた第１の相関値と、当該第１の相関値が閾値を超えたときに計時を開始してから基本周期若しくは基本周期の整数倍に等しくない時間が計時されるタイミングで第１の相関値を超える第２の相関値が現れた場合、当該第２の相関値が第１の相関値を超えたタイミングで計時を開始することを特徴とする。
【０００９】
請求項４の発明は、上記目的を達成するために、請求項１〜３の何れか１項に記載の同期確立方法によって同期を確立することを特徴とする。
【００１０】
請求項５の発明は、上記目的を達成するために、請求項４記載の直交周波数分割多重変調方法で変調された信号を送信する送信機と、受信した信号に対して請求項１〜３の何れか１項に記載の同期確立方法で同期を確立する受信機とを備えたことを特徴とする。
【発明の効果】
【００１１】
請求項１，４，５の発明によれば、例えば、妨害波の影響等によって受信した信号の先頭部分に含まれる同期パターンの周期性が崩れても、基本周期の整数倍に等しい時間が計時されるタイミングと略一致した複数のタイミングで前記相関値が閾値を超えたら同期が確立したと判断することで同期を確立することができる。
【００１２】
請求項２の発明によれば、同期を確立するまでの時間を短縮することができる。
【００１３】
請求項３の発明によれば、同期パターン以外のノイズが第１の相関値として検出された場合でもその後の同期パターンを第２の相関値として検出することで同期を確立することができる。
【発明を実施するための最良の形態】
【００１４】
以下、本発明に係る同期確立方法並びに直交周波数分割多重変調方法、通信装置の実施形態について図面を参照して詳細に説明する。
【００１５】
（実施形態１）
まず、本実施形態における通信装置の構成について図２を参照して説明する。本実施形態の通信装置は送信機Ｔｘと受信機Ｒｘで構成され、直交周波数分割多重（以下、「ＯＦＤＭ」という。）変調された信号（以下、「ＯＦＤＭ信号」と呼ぶ。）によるパケット通信を行っている。但し、送信機Ｔｘから受信機Ｒｘに信号を伝送するための伝送路については有線又は無線の何れでも構わない。
【００１６】
送信機Ｔｘでは、入力された送信データ（情報ビット列）がスクランブラ１０によって同じビット値が続かないようにスクランブル（ランダム化）され、畳み込み符号化器１１でエラー訂正符号化され、ビットインターリーバ１２で続くマッパ１３での複素平面上のビット位置をインターリーバ（ランダム化）し、マッパ１３でビットを複素数でシンボル化（ディジタル変調）し、各シンボルを順に逆離散フーリエ変換器（ＩＦＦＴ）１４にて逆離散フーリエ変換し、ＧＩ付加・フレーミング部１５でＩＦＦＴ１４から出力される時間信号（以下、「複素ベースバンドＯＦＤＭ信号」と呼ぶ。）の後半部分をコピーして当該複素ベースバンドＯＦＤＭ信号に付加することによってＯＦＤＭシンボルを生成する。さらに、オーバーサンプリング部１６にて後段のＤＡＣ（ディジタル・アナログ・コーデック）部１７におけるサンプリング周期でオーバーサンプルした後、ＤＡＣ部１７でディジタル／アナログ変換し、アナログ回路１８においてベースバンドＯＦＤＭ信号の周波数変換を行って必要な周波数帯域にシフトしたＯＦＤＭ信号を伝送路に送出する。なお、ＧＩ付加・フレーミング部１５がＯＦＤＭシンボルを生成する際、同期ブロック部１９が保持している同期パターンを同期ブロックに格納する。
【００１７】
一方、受信機Ｒｘでは、伝送路を介して伝送されるＯＦＤＭ信号をアナログ回路２０で周波数変換するとともにＡＤＣ（アナログ・ディジタル・コーデック）部２１でアナログ／ディジタル変換し、ダウンサンプリング部２２にて後述する離散フーリエ変換のサンプル数にダウンサンプリングした後、ＧＩ除去部２３にてガードインターバルを除去する。但し、ＧＩ除去部２３がガードインターバルを除去するためには、シンボルタイミング同期検出部１によってシンボルタイミング同期が確立されていることが必要条件である。ガードインターバルが除去された複素ベースバンドＯＦＤＭ信号を離散フーリエ変換器（ＦＦＴ）２４で離散フーリエ変換することで複素ベースバンドＯＦＤＭ信号から複素シンボル例を生成する。生成された複素シンボル列をデマッパ２５により軟判定メトリック値に変換し、デインターリーバ２６にてデータビット単位でデインターリーブする。そして、デインターリーブされた軟判定メトリック値をビタビ復号器２７にて復号化し、デスクランブラ２８でデスクランブルすることで送信データ（情報ビット列）を再生する。
【００１８】
また、受信機Ｒｘが備えるシンボルタイミング同期検出部１は、図１に示すように相関器２、ピーク検出器３、カウンタ４、タイミング検出器５を具備している。相関器２は、ダウンサンプリング後のＯＦＤＭシンボルの同期ブロックに格納されているシンボル波形（図３（ａ）参照）と、あらかじめ記憶している同期パターンの波形（図３（ｂ）参照）との相互相関値（以下、相関値と略す）を演算するものであって、相互相関型のマッチトフィルタを用いて実現できる。そして、相関器２は演算で求めた相関値をピーク検出器３に出力する。
【００１９】
ピーク検出器３は、相関器２から出力する相関値とあらかじめ記憶している閾値とを比較し、閾値を超える相関値（ピーク値）を検出したときにピーク検出信号をカウンタ４に出力する。カウンタ４は、図示しない発振器から入力する一定周期のクロックの立ち上がりでカウント値をカウントアップし、ピーク検出信号が入力するとカウント値をゼロに初期化して再度カウントを開始する。
【００２０】
タイミング検出器５は、カウンタ４から入力するカウント値とピーク検出器３から入力するピーク検出信号とに基づいてシンボルタイミングの同期が確立したか否かを判定し、同期が確立した判定したときに同期検出信号を出力する。なお、タイミング検出器５における同期確立の判定方法、すなわち、本発明に係る同期確立方法については以下に詳述する。
【００２１】
例えば、送信機Ｔｘにて５４個のサブキャリアを使用してマルチキャリア変調（ＯＦＤＭ変調）するとしたとき、５４個のサブキャリアを全て使用してシンボルタイミング同期用の同期パターン（以下、プリアンブルシンボルと呼ぶ。）pas(n)を生成する場合は下記の式（１）で求めることができる。但し、ｋはサブキャリアインデックス、Ｓkは各サブキャリア毎のシンボルデータ（複素シンボル列）、ｆsは逆離散フーリエ変換におけるサンプリング周波数、ｎは時間インデックス、Ｔはサンプル周期、「６４」は逆離散フーリエ変換におけるサンプル数である。
【００２２】
【数１】
2008259063.tif 000003
【００２３】
ここで、プリアンブルシンボルpas(n)として４キャリアおきに使用してキャリア間隔を通常の４倍にすると、上記式（１）のプリアンブルシンボルpas(n)は下記の式(２)で表される。
【００２４】
【数２】
2008259063.tif 000004
【００２５】
すなわち、上記式(２)から明らかなようにプリアンブルシンボルpas(n)は逆離散フーリエ変換の１６サンプル毎の巡回性を有しており、プリアンブルシンボルpas(n)（同期パターン）の周期が逆離散フーリエ変換のサンプル数(＝６４）の４分の１となっている。
【００２６】
受信機Ｒｘでは、シンボルタイミン同期検出回路１の相関器２において１６サンプル分（１周期）のプリアンブルシンボルpasを図示しないメモリに格納しており、受信したパケット信号の同期ブロックに格納されているプリアンブルシンボルpasとの相関値を演算する。ここで、説明を簡単にするために送信機Ｔｘと受信機Ｒｘの間の伝達関数を１と仮定すると、相関値Ｃ(k)は下式のようにして求まる。但し、ｐは周波数インデックスを示す。
【００２７】
【数３】
2008259063.tif 000005
【００２８】
相関値Ｃ(k)の最大値はｍ＝ｐ且つｋが１６の整数倍のときに得られる。
【００２９】
次に、ノイズの影響等によってプリアンブルシンボルpasの周期性が阻害された場合について説明する。
【００３０】
例えば、プリアンブルシンボルpasに振幅ＩＮＴを有する妨害波が混入したと仮定すると、妨害波を含むプリアンブルシンボルpasは下記の式で表される。但し、ｌ（エル）は０を直流としたベースバンド（複素数領域）における妨害波の周波数インデックスである。
【００３１】
【数４】
2008259063.tif 000006
【００３２】
また、このときの相関値Ｃ(ｋ)は下式のように表される。
【００３３】
【数５】
2008259063.tif 000007
【００３４】
右辺の第１項は妨害波が混入していないときと同じであり、１６サンプル周期毎に最大値が出力されるが、右辺の第２項はｌ値（妨害波の周波数インデックス）によって出力される最大値（ピーク値）の周期が変化する。つまり、ｌ値が奇数の場合、ピーク値の現れる周期は６４サンプル周期となり（図４（ａ）参照）、ｌ値が２の倍数の場合、ピーク値の現れる周期は３２サンプル周期となり（図４（ｂ）参照）、ｌ値が４の倍数の場合、ピーク値の現れる周期は１６サンプル周期となる（図４（ｃ）参照）。
【００３５】
ここで、ｌ値は０を直流としたベースバンド（複素数領域）における妨害波の周波数インデックスであり、ｆs／６４はサブキャリアの周波数間隔を表している。例えば、ｆsを２０ＭＨｚとすると、サブキャリアの周波数間隔は３１２．５ｋＨＺとなり、基本となる（最も低い）サブキャリアの周波数をｆcとすると、ｌ値が奇数であるということは、妨害波の周波数がパスバンド（実数領域）で下式にて表される周波数の何れかになるということである（図４（ａ）参照）。
【００３６】
ｆc＋（２ｑ−１）×３１２．５ｋＨｚ（但し、ｑ＝−１３：１４）
また、ｌ＝２ｑ（ｑ=−１３：１３、ただしｑは奇数）の場合には、図４（ｂ）に示すように、３２サンプル周期毎に相関値にピークを持っている。妨害波の周波数がパスバンドで下式にて表されるとき、このような周期で相関値がピークを持つことになる。
【００３７】
ｆc＋２ｑ×３１２．５ｋH
さらに、ｌ＝４ｑ（ｑ=−６：６）の場合、図４（ｃ）に示すように、１６サンプル周期毎に相関値にピークを持っている。妨害波の周波数がパスバンドで下式にて表されるとき、このような周期で相関値がピークを持つことになる。
【００３８】
ｆc＋４ｑ×３１２．５ｋHz
而して、プリアンブルシンボルpasに妨害波が混入していなければ、プリアンブルシンボルpasの周期性に従って１６サンプル周期毎に相関値がピークを持つから（図３（ｃ）参照）、最初に相関値のピークを検出してから１６サンプル周期毎にピーク値を検出すると予測することができ、１６サンプル周期毎に複数回に渡ってピーク値を検出することでシンボルタイミングの同期が確立したと判定しても支障はない。しかしながら、上述のように妨害波が混入してプリアンブルシンボルpasの周期性が崩れてしまうと本来予測される１６サンプル周期の整数倍の周期毎に相関値のピークが現れてしまうため、シンボルタイミングの同期が確立できない虞がある。
【００３９】
そこで本実施形態では、上述のようにプリアンブルシンボルpasに妨害波が混入している場合を考慮して、図５のフローチャートに示す手順でシンボルタイミングの同期を確立している。
【００４０】
受信したＯＦＤＭシンボルをシンボルタイミング同期検出回路１に入力し（Ｓ１）、相関器２にてＯＦＤＭシンボルの同期ブロックに格納されているシンボル波形（図３（ａ）参照）と、あらかじめ記憶しているプリアンブルシンボルpasの波形（図３（ｂ）参照）との相関値を演算する（Ｓ２）。相関器２で求めた相関値がピーク検出器３に入力され、ピーク検出器３にて相関値と閾値を比較する（Ｓ３）。ピーク検出器３では、相関値が閾値を超えていなければピーク検出信号を出力せず、相関値が閾値を超えていればピーク検出信号を出力する（Ｓ４）。カウンタ４は、最初にピーク検出器３からピーク検出信号が出力された時点より、離散フーリエ変換器２４における離散フーリエ変換のサンプル周波数に同期したクロックの立ち上がりでカウントアップを行うとともにカウント値をタイミング検出器５に出力しており、ピーク検出信号が入力されたときにカウント値（＝離散フーリエ変換のサンプル数）をゼロに初期化して再度カウントアップを開始する（Ｓ５）。
【００４１】
タイミング検出器５では、ピーク検出信号が出力されずにカウンタ４のカウント値、すなわち、離散フーリエ変換のサンプル数がプリアンブルシンボルpasの基本周期（＝１６サンプル周期）に等しい値（＝１６）までカウントアップされれば（Ｓ６）、カウントアップされたタイミングでピーク検出器３からピーク検出信号が入力されているか否かを判断し（Ｓ７）、ピーク検出信号が入力されていればシンボルタイミングの同期が確立したと判定して同期検出信号を出力する（Ｓ８）。しかしながら、妨害波の混入によってプリアンブルシンボルpasの周期性が崩れているとすると基本周期（１６サンプル周期）では相関値のピーク値が検出されない。そこで本実施形態では、基本周期（＝１６サンプル周期）に等しい値（＝１６）までカウントアップされたタイミングでピーク検出器３からピーク検出信号が入力されていない場合、タイミング検出器５では、カウンタ４のカウント値がプリアンブルシンボルpasの基本周期の２倍（＝３２サンプル周期）に等しい値（＝３２）までカウントアップされたタイミングで（Ｓ９）、再度、ピーク検出器３からピーク検出信号が入力されているか否かを判断し（Ｓ１０）、ピーク検出信号が入力されていればシンボルタイミングの同期が確立したと判定して同期検出信号を出力する（Ｓ１１）。
【００４２】
さらに、基本周期の２倍（＝３２サンプル周期）に等しい値（＝３２）までカウントアップされたタイミングでピーク検出器３からピーク検出信号が入力されていない場合、タイミング検出器５では、カウンタ４のカウント値がプリアンブルシンボルpasの基本周期の４倍（＝６４サンプル周期）に等しい値（＝６４）までカウントアップされたタイミングで（Ｓ１２）、再度、ピーク検出器３からピーク検出信号が入力されているか否かを判断し（Ｓ１３）、ピーク検出信号が入力されていればシンボルタイミングの同期が確立したと判定して同期検出信号を出力する（Ｓ１４）。
【００４３】
一方、基本周期の４倍（＝６４サンプル周期）に等しい値（＝６４）までカウントアップされたタイミングでもピーク検出器３からピーク検出信号が入力されていなければ、タイミング検出器５は、もはやシンボルタイミングの同期が確立できないと判定して同期エラー信号を出力する（Ｓ１５）。
【００４４】
このように本実施形態の同期確立方法によれば、受信機Ｒｘで受信する信号の先頭部分（同期ブロック）と同期パターン（プリアンブルシンボルpas）との相関値を求めるとともに、当該相関値を所定の閾値と比較して当該相関値が閾値を超える毎に計時（カウンタ４のカウント）を開始し、プリアンブルシンボルpasの基本周期若しくは基本周期の整数倍に等しい時間が計時されるタイミングと略一致した複数のタイミングで相関値が閾値を超えた場合に同期が確立したと判断するので、妨害波の影響等によって受信した信号の先頭部分に含まれる同期パターンの周期性が崩れてもシンボルタイミングの同期を確立することができる。
【００４５】
（実施形態２）
ところで、プリアンブルシンボルpasに妨害波が混入している場合、最初に検出される相関値のピークが妨害波によるピークである可能性もある。例えば、間違ったピーク位置を検出した時点からカウンタ４のカウントアップが開始されると、実施形態１では基本周期又は基本周期の整数倍のタイミングでピークが検出されないから、６４サンプル周期後にカウンタ４のカウント値が初期化されるまでシンボルタイミングの同期が確立できなくなってしまう。
【００４６】
そこで本実施形態では、図６のフローチャートに示すような手順でシンボルタイミングの同期を確立している。
【００４７】
受信したＯＦＤＭシンボルをシンボルタイミング同期検出回路１に入力し（Ｓ１）、ピーク検出器３ではメモリに記憶するピーク最大値を初期化する（Ｓ２）とともに、カウンタ４のカウント値も初期化する（Ｓ３）。カウンタ４のカウント値、すなわち、離散フーリエ変換のサンプル数がプリアンブルシンボルpasの基本周期（＝１６サンプル周期）に等しい値（＝１６）までカウントアップされたか否かが判定され（Ｓ４）、カウントアップされていなければ、相関器２にてＯＦＤＭシンボルの同期ブロックに格納されているシンボル波形と、あらかじめ記憶しているプリアンブルシンボルpasの波形との相関値を演算する（Ｓ５）。相関器２で求めた相関値がピーク検出器３に入力され、ピーク検出器３にて相関値と閾値を比較する（Ｓ６）。ピーク検出器３では、相関値が閾値を超えていなければピーク検出信号を出力せず、相関値が閾値を超えていれば当該相関値（ピーク値）とメモリに記憶した最大ピーク値とを比較し（Ｓ７）、当該相関値（第２の相関値）がメモリに記憶した最大ピーク値（第１の相関値）を超えている場合、ピーク検出信号を出力することでカウンタ４のカウント値を初期化する（Ｓ８）とともに、第２の相関値を最大ピーク値として第１の相関値の代わりにメモリに記憶する（Ｓ９）。
【００４８】
そして、カウンタ４のカウント値が１６までカウントアップされるまでの間、Ｓ５〜Ｓ９の処理が繰り返され、カウンタ４のカウント値が１６までカウントアップされると、タイミング検出器５は、カウントアップされたタイミングでピーク検出器３からピーク検出信号が入力されているか否かを判断し（Ｓ１０）、ピーク検出信号が入力されていればシンボルタイミングの同期が確立したと判定して同期検出信号を出力する（Ｓ１１）。一方、１６までカウントアップされたタイミングでピーク検出器３からピーク検出信号が入力されていない場合、タイミング検出器５は、カウンタ４のカウント値がプリアンブルシンボルpasの基本周期の２倍（＝３２サンプル周期）に等しい値（＝３２）までカウントアップされたタイミングで（Ｓ１２）、再度、ピーク検出器３からピーク検出信号が入力されているか否かを判断し（Ｓ１３）、ピーク検出信号が入力されていればシンボルタイミングの同期が確立したと判定して同期検出信号を出力する（Ｓ１４）。
【００４９】
そして、カウンタ４のカウント値が３２までカウントアップされたタイミングでピーク検出器３からピーク検出信号が入力されていない場合、タイミング検出器５は、カウンタ４のカウント値がプリアンブルシンボルpasの基本周期の４倍（＝６４サンプル周期）に等しい値（＝６４）までカウントアップされたタイミングで（Ｓ１５）、再度、ピーク検出器３からピーク検出信号が入力されているか否かを判断し（Ｓ１６）、ピーク検出信号が入力されていればシンボルタイミングの同期が確立したと判定して同期検出信号を出力する（Ｓ１７）。しかしながら、カウンタ４のカウント値が６４までカウントアップされたタイミングでもピーク検出器３からピーク検出信号が入力されていなければ、タイミング検出器５は、もはやシンボルタイミングの同期が確立できないと判定して同期エラー信号を出力する（Ｓ１８）。
【００５０】
ここで、図６のフローチャートには記載していないが、タイミング検出器５はメモリに記憶した最大ピーク値の更新処理（Ｓ５〜Ｓ９）を常に実行しており、ピーク値を誤って検出することによる誤動作を防止している。
【００５１】
上述のように本実施形態の同期確立方法によれば、間違ったピーク位置を検出した時点からカウンタ４のカウントアップが開始されても正しいピーク位置を再度検出してシンボルタイミングの同期を確立することができる。
【００５２】
なお、実施形態１並びに実施形態２では、カウンタ４のカウント値が基本周期若しくは基本周期の整数倍の値にカウントアップされたタイミングでピーク検出器３からピーク検出信号が入力されているか否かをタイミング検出器５で判断しているが、妨害波の影響等で±１サンプル周期程度の時間差が生じることを考慮して、カウントアップされたタイミングよりも１サンプル周期前若しくは１サンプル周期後のタイミングも含めてピーク検出器３からピーク検出信号が入力されているか否かを判断するようにしても構わない。
【図面の簡単な説明】
【００５３】
【図１】本発明の実施形態におけるシンボルタイミング同期検出回路のブロック図である。
【図２】同上における通信装置（送信機及び受信機）のブロック図である。
【図３】（ａ）はＯＦＤＭシンボルの同期ブロックに格納されているシンボル波形図、（ｂ）は相関器が記憶している同期パターン（プリアンブルシンボル）の波形図、（ｃ）は相関値のピークを示す波形図である。
【図４】（ａ）〜（ｃ）はプリアンブルシンボルに妨害波が混入した場合の相関値のピークを示す波形図である。
【図５】同上における同期確立方法を説明するためのフローチャートである。
【図６】実施形態２における同期確立方法を説明するためのフローチャートである。
【符号の説明】
【００５４】
１  シンボルタイミング同期検出回路
２  相関器
３  ピーク検出器
４  カウンタ
５  タイミング検出器
【図１】
2008259063.tif 000008
【図２】
2008259063.tif 000009
【図３】
2008259063.tif 000010
【図４】
2008259063.tif 000011
【図５】
2008259063.tif 000012
【図６】
2008259063.tif 000013